(57)【特許請求の範囲】
【請求項１】
紙幣が収容される紙幣収容部と、
取り忘れ紙幣を回収する取忘れ部と、
模擬紙幣を収容しておく模擬券スタッカと、
紙幣を搬送して前記紙幣収容部に収容させるとともに、前記模擬券スタッカから模擬紙幣を取り出し所定の搬送路に沿って搬送した後に前記紙幣収容部に収容させる搬送手段と、
前記搬送路に設置された鑑別部と、
前記監別部に設けられ、該搬送路に沿って搬送される模擬紙幣が磁気記録媒体を有する模擬紙幣であった場合の、該模擬紙幣の磁気記録媒体に磁気的な記録を行なう磁気記録部と、を備え、
利用者の紙幣の取り忘れが発生した場合には、取り忘れられた紙幣を取忘れ部に収容するとともに、模擬券スタッカから模擬紙幣に一枚取り出し、取り出した模擬紙幣に前記磁気記録部により取引きに関するデータを記録して、取忘れ部に収容し、
発生したジャムが取り除かれた後、紙幣の搬送路に紙幣か未だ残っていないかどうかを確認するために、模擬券スタッカから模擬紙幣を取り出し、搬送路を経由させ、磁気記録部で模擬紙幣にそのジャムに関する障害情報を書き込み収容するようにしたことを特徴とする紙幣取扱装置。
【発明の詳細な説明】
【０００１】
【発明の属する技術分野】
本発明は、例えば、入金、出金等の取引きを実行する自動取引装置（Ａｕｔｏｍａｔｉｃ  Ｔｅｌｌｅｒ  Ｍａｃｈｉｎｅ：以下ＡＴＭと称する）等、紙幣を取り扱う紙幣取扱装置、および、その紙幣取扱装置で取り扱われる模擬紙幣に関する。
【０００２】
【従来の技術】
従来より、銀行やその他の金融機関等には、紙幣取扱装置の一種であるＡＴＭやＣＤ（Ｃａｓｈ  Ｄｉｓｐｅｎｓｅｒ）等が備え付けられている。これらの紙幣取扱装置では、紙幣自体のほか、紙幣と略同寸法の模擬紙幣も取り扱われる。模擬紙幣が取り扱われるのは、通常以下の場合である。
【０００３】
紙幣取扱装置内では紙幣が搬送されるが、その搬送経路上のいずれかの場所で紙幣の詰まり（これを‘ジャム’と称する）が発生することがあり、ジャムが発生した場合そのジャムの発生原因の紙幣が取り除かれるが、その後模擬紙幣が搬送経路に沿って搬送され、その搬送経路上のいずれかの場所に紙幣が残っていないかどうかの確認が行なわれる。
【０００４】
また、ＡＴＭの操作者（その金融機関の顧客）が紙幣の引出し操作を行なったにも拘らず引き出された紙幣を取り忘れたとき、その取り忘れた紙幣は装置内に取り込まれ所定のボックスに収容されるが、この取り忘れが一回発生するたびに模擬紙幣が一枚そのボックスに収容され、取引毎の取り忘れ紙幣が仕切られる。
【０００５】
【発明が解決しようとする課題】
従来の紙幣取扱装置では、模擬紙幣は、上記のように、搬送路チェック用として、あるいは取り忘れ紙幣のセパレート用として使用されているが、ただそれだけのために模擬紙幣を使用するのでは、模擬紙幣の利用価値が低く、例えば以下のような欠点があった。
【０００６】
（１）紙幣の取り忘れ取り込みの内容（取引日時、金額、口座番号）や回収紙幣の枚数などについては、装置本体のメモリ内容を表示させることなどにより確認することはできるが、ボックス内に取り忘れ取り込み紙幣がセパレータとしての模擬紙幣を挟んで積み重ねられたとき、どの紙幣を誰が取り忘れたのかは、例えば積み重ねらえた紙幣をセパレータとしての模擬紙幣の枚数を数えながら順に追っていかないと判明せず、煩わしいとともに、間違えるおそれもある。
【０００７】
（２）紙幣の入ったボックスを装置から一旦取り外して、同機種の他のボックスと混在させて取り違えてしまった場合は、混乱を招く事態となる。
本発明は、上記事情に鑑み、取り忘れ取り込み紙幣に関する情報等を正確にかつ容易に把握することができる紙幣取扱装置およびその紙幣取扱装置に使用される模擬紙幣を提供することを目的とする。
【０００８】
【課題を解決するための手段】
上記目的を達成する本発明の紙幣取扱装置は、紙幣が収容される紙幣収容部と、取り忘れ紙幣を回収する取忘れ部と、
模擬紙幣を収容しておく模擬券スタッカと、紙幣を搬送して紙幣収容部に収容させるとともに、模擬券スタッカから模擬紙幣を取り出し所定の搬送路に沿って搬送した後に紙幣収容部に収容させる搬送手段と、上記搬送路に設置された鑑別部と、上記監別部に設けられ、上記搬送路に沿って搬送される模擬紙幣が磁気記録媒体を有する模擬紙幣であった場合の、その模擬紙幣の磁気記録媒体に磁気的な記録を行なう磁気記録部と、を備え、
利用者の紙幣の取り忘れが発生した場合には、取り忘れられた紙幣を取忘れ部に収容するとともに、模擬券スタッカから模擬紙幣に一枚取り出し、取り出した模擬紙幣に磁気記録部により取引きに関するデータを記録して、取忘れ部に収容し、
発生したジャムが取り除かれた後、紙幣の搬送路に紙幣か未だ残っていないかどうかを確認するために、模擬券スタッカから模擬紙幣を取り出し、搬送路を経由させ、磁気記録部で模擬紙幣にそのジャムに関する障害情報を書き込み収容するようにしたことを特徴とする。
【００１０】
本発明では、上記のように、模擬紙幣に磁気記録媒体を取り入れ、紙幣取扱装置に磁気記録部を備えたことにより、ジャム除去時や取り忘れ取り込み時の履歴データを模擬紙幣自体に磁気的に書き込み、データ管理することができ、取引きデータのバックアップや障害情報の解析がより充実したものとなり、模擬紙幣の現金有り高の保証や裏付けが高度化される。
【００１１】
【発明の実施の形態】
以下、本発明の実施形態について説明する。
図１は、本発明の紙幣取扱装置の一実施形態であるＡＴＭの構成ブロック図である。
この図１に示すＡＴＭ１０は、制御部１１、ＤＯＣ（Ｄｏｃｕｍｅｎｔ  Ｏｕｔｐｕｔ  ａｎｄ  Ｃａｒｄ  ｒｅａｄｅｒ  ｗｒｉｔｅｒ）１２、ＢＲＵ（Ｂｉｌｌ  Ｒｅｃｙｃｌｅ  Ｕｎｉｔ）１３、ＣＲＵ（Ｃｏｉｎ  ＲｅｃｙｃｌｅＵｎｉｔ）１４、ＵＯＰ（顧客操作部）１５、ＭＯＰ（管理操作部）１６、電源部１７等から構成されている。
【００１２】
制御部１１は、このＡＴＭ１０の全体の制御を司る部分であり、またセンタコントロール２０の指示を受け付け、センタコントロール２０にこのＡＴＭの状態を報告する。また、この制御部１１は遠隔監視装置３０にも接続されており、遠隔監視装置３０は、ＵＯＰ１５に備えられた、後述する顧客センサ１５４等からの情報に基づき、遠方からこのＡＴＭ操作している顧客やこのＡＴＭ自体を監視する。さらに制御部１１には、このＡＴＭ１０を制御するための制御プログラムやこのＡＴＭに関する各種データを格納しておくハードディスクとそのハードディスク１１１にデータ等を書き込んだりそのハードディスク１１１からデータ等を読み出すハードディスクドライバ１１２が備えられており、さらにフロッピィディスク１１３１が装填されそのフロッピィディスク１１３１からデータを取り込んだりそのフロッピィディスク１１３１にデータを書き込むフロッピィディスクドライバ１１３が備えられている。
【００１３】
ＤＯＣ１２は、キャッシュカードや預金通帳を取り扱う部分であって、ＣＩＰ（Ｃａｒｄ  ｒｅａｄｅｒ／ｗｒｉｔｅｒ  Ｉｍａｇｅ  ｒｅａｄｅｒ  Ｐｒｉｎｔｅｒ）１２１とＰＰＲ（Ｐａｓｓ  ｂｏｏｋ  Ｐｒｉｎｔｅｒ）１２２からなり、ＣＩＰ１２１は、キャッシュカードの磁気ストライブに記録された内容を読み取ったり取引内容をレシートに記録する機能を備えた部分、ＰＰＲ１２２は、預金通帳に記録する機能を備えた部分である。
【００１４】
ＢＲＵ１３は、このＡＴＭの利用者（顧客）との間で紙幣の入金、出金を取り扱うユニットであり、ＡＴＭ１０の利用者によってＡＴＭ１０に投入された紙幣を金種ごとに仕分けして収納し、ＡＴＭ１０から利用者への支払を行なう際には、仕分けられて収納された紙幣を用いて支払いを行なう。このＢＲＵ１３は、図示のように、２つのスタッカ１３１，１３２、２つのスタッカプール部１３３，１３４、２つの金庫１３５，１３６、２つの補充リジェクト部１３７，１３８、運用リジェクト部１３９、取忘れ部１３１０、バッファプール部１３１１，鑑別部１３１２、および入出金部１３１３を備えている。ＢＲＵ１３の詳細については後述する。
【００１５】
ＣＲＵ１４は、このＡＴＭの利用者（顧客）との間でのコインの入金、出金を取り扱うユニットである。
ＵＯＰ１５は、このＡＴＭの利用者（顧客）が入金、出金等の操作を行なう部分であり、顧客への情報を表示するためのカラーディスプレイ１５１、顧客が暗証番号や金額等を入力するためのタッチキーボード１５２、顧客に対し必要な音声案内を行なうための音声ガイダンス１５３、および顧客がＡＴＭの前に居るか否かをセンスしてカラーディスプレイ１５１や音声ガイダンス１５３等の動作に反映させるための顧客センサ１５４を備えている。
【００１６】
また、ＭＯＰ１６は、このＡＴＭが設置された金融機関の職員等によって操作される部分であり、ＭＯＰ１６には、そのＭＯＰ１６を操作する権原のある人であることを確認するためのＩＤカードを照合して電磁ロックを制御するＩＤカードシステム１６１、操作のための情報を表示する液晶ディスプレイ１６２、および操作用のキーボード１６３が備えられている。
【００１７】
電源部１７は、このＡＴＭ１０への必要な電力の供給を担っている。
次にＢＲＵ１３の詳細について説明する。
入出金部１３１３は、ＡＴＭの利用者が預金用の紙幣を投入し、あるいは預金から引き出された紙幣を利用者への受け渡し用に収容する部分である。
ＡＴＭの利用者が預金用の紙幣を入出金部１３１３に投入すると、その入出金部１３１３に投入された紙幣は、鑑別部１３１２を経由して万円券と千円券とに弁別され、各スタッカ１３１，１３２に収容される。その際、一回の入金分についてスタッカプール部１３３，１３４に万円券と千円券がそれぞれ一旦溜められ、一回の入金分の紙幣がそこに溜まるとそこに溜まった万円券あるいは千円券がスタッカ１３１，１３２に一度に収容される。５千円券については、スタッカ１３１，１３２には収容されず、運用リジェクト部１３９に収容され、ＡＴＭから利用者への支払いには利用されない。また、鑑別部１３１２で再使用不能な形状異常券等が検出されたときは、そのような再使用不能な紙幣も運用リジェクト部１３９に収容される。
【００１８】
また、ＡＴＭの利用者が預金の引出し操作を行なうと、スタッカ１３１，１３２から万円券と千円券が必要な枚数送り出され、鑑別部１３１２を経由して入出金部１３１３に収容され、その利用者に受け渡される。
このとき、その利用者が紙幣を取り忘れると、その取り忘れられた紙幣は入出金部１３１３からＡＴＭ内部に取り込まれ、取忘れ部１３１０に収容される。模擬券スタッカ１３１４には模擬紙幣が積み重ねられており、入出金部１３１から取忘れ部１３１０に取り忘れた紙幣が渡されると、模擬券スタッカ１３１４から模擬紙幣が一枚取り出され、鑑別部１３１２を経由して取り忘れ部１３１０に収容される。このとき模擬紙幣は、複数回の取忘れに対応した紙幣を一回の取忘れ毎に仕切るセパレータとしての役割りをなす。ここで、模擬券スタッカ１３１４に収容されている模擬紙幣は磁気ストライプを有しており、さらに鑑別部１３１２には磁気記録部１３１２１が備えられており、模擬券スタッカ１３１４から取り出されて取忘れ部１３１０に向かう模擬紙幣は、鑑別部１３１２において、その鑑別部１３１２に備えられた磁気記録部１３１２１により、その模擬紙幣の磁気ストライプにその取引きに関するデータが記録され、その後、取忘れ部１３１０に収容される。こうすることにより、顧客が取り忘れた現金の有高の確認が容易となる。
【００１９】
スタッカ１３１，１３２に紙幣が不足すると、金庫１３５，１３６から紙幣が取り出され鑑別部１３１２を経由してスタッカ１３１，１３２に収容される。その際、再使用不能な紙幣が検出されると、その紙幣は補充リジェクト部１３７，１３８に戻される。
一方、スタッカ１３１，１３２が満杯になると、スタッカ１３１，１３２から金庫１３５，１３６に紙幣が移される。金庫１３５，１３６内の紙幣は、このＡＴＭが設置されている金融機関の職員等により取り出され、あるいは補充される。
【００２０】
また、バッファプール部１３１１は、例えば、入出金部１３１３から入金された紙幣を鑑別部１３１２で第一次的に鑑別を行なってバッファプール部１３１１に一旦収容し、次いでそのバッファプール部１３１１から再度取り出して鑑別部１３１２で第二次的な鑑別を行なう場合等に使用されるものである。
以上のような紙幣の搬送の途中でジャムが発生すると、このＡＴＭが設置されている金融機関の職員等によりその原因となった紙幣が取り除かれるが、その後紙幣の搬送路に紙幣が未だ残っていないかどうかを確認するために、模擬券スタッカ１３１４から模擬紙幣が取り出され、搬送路を経由し、その途中で鑑別部１３１２の磁気記録部１３１２１で、その模擬紙幣の磁気ストライプにそのジャムに関する障害情報が書き込まれた後、あらかじめ指定された場所、例えば取忘れ部１３１０に収容される。
【００２１】
図２は、ＢＲＵ内の模擬紙幣の搬送路を示した図、図３は、模擬紙幣の模式図、図４は、模擬紙幣による搬送路チェック時のシーケンスをあらわすフローチャートである。
本実施形態では、模擬紙幣は、図３に示すように、万円券と同一寸法の模擬紙幣１８Ａ、５千円券と同一寸法の模擬紙幣１８Ｂ、および千円券と同一寸法の模擬紙幣１８Ｃの３種類が用意されている。これら３種類の模擬紙幣１８Ａ，１８Ｂ，１８Ｃのいずれにも、それらの中央部分に磁気的な記録が行なわれる磁気ストライプ１８１Ａ，１８１Ｂ，１８１Ｃが貼り付けられている。これらのうちのいずれの模擬紙幣を使用するかは任意であり、代表的にいずれか一種類の模擬紙幣を使用してもよく、あるいは搬送路やそのときの状況に応じて使い分けてもよい。
【００２２】
ＢＲＵの搬送路のチェックは、図４に示すシーケンスに従って行なわれる。先ずステップ（ａ）において、例えばＭＯＰ１６（図１参照）から搬送路のチェックが指示されたか否かが判定され、搬送路のチェックが指示された場合は、磁気記録を行なうモードであるか磁気記録を行なわないモードであるかが判定される（ステップ（ｂ））。これら２つのモードのうちのいずれを選択するかは、ＭＯＰ１６から、あらかじめ、あるいは今回の搬送路チェックに先立って指定されている。磁気記録を行なうモードを指定する場合は、模擬券スタッカ１３１４には、図３に示す模擬紙幣のうちのいずれかの模擬紙幣が格納される。
【００２３】
図３に示す磁気ストライプを有するステップ（ｃ）又はステップ（ｄ）では、搬送路のチェックが行なわれる。このとき、磁気記録を行なうモードにおける搬送路チェックの場合（ステップ（ｃ））は、鑑別部１３１２の磁気記録部１３１２１において、その鑑別部１３１２に搬送されてきた模擬紙幣の磁気ストライプにその搬送路チェックに関するデータが記録される（ステップ（ｅ））。
【００２４】
図４のステップ（ｃ）又はステップ（ｄ）における搬送路チェックの際は、模擬券スタッカ１３１４から取り出された模擬紙幣は、図２に示すように、搬送路２０１および搬送路２０２を経由して鑑別部１３１２を経由し、さらにスタッカプール部１３４を経由し、さらにもう一方のスタッカプール部１３３を経由し、鑑別部１３１２に戻り、その鑑別部１３１２を通過してバッファプール部１３１１に入り、さらにそのバッファプール部１３１１から出てもう一度鑑別部１３１２を通過する。このとき、磁気記録を行なうモードの場合は、磁気記録部１３１２１により、模擬紙幣の磁気ストライプに磁気記録が行なわれる。この鑑別部１３１２を通過した模擬紙幣は、一旦入出金部１３１３に入り、そこを出て取忘れ部１３１０に格納される。
【００２５】
以上のようにして、模擬紙幣が、各部を経由する搬送路に沿って搬送され、途中に紙幣が残っていないかどうかがチェックされる。
模擬紙幣に磁気的に記録されたデータを読み出す場合、その模擬紙幣が入出金部１３１３に投入され、その模擬紙幣が鑑別部１３１２に搬送されてその鑑別部１３１２に備えられた磁気記録部１３１２１でその模擬紙幣の磁気ストライプ上のデータが読み取られる。その鑑別部１３１２を通過した模擬紙幣は、再び入出金部１３１３に戻される。
【００２６】
【発明の効果】
以上説明したように、本発明によれば、取引きデータのバックアップ、障害情報の解析がより充実したものとなり、紙幣取扱装置の現金有り高の保証、裏付けが高度化される。
【図面の簡単な説明】
【図１】本発明の紙幣取扱装置の一実施形態であるＡＴＭの構成ブロック図である。
【図２】ＢＲＵ内の模擬紙幣の搬送路を示した図である。
【図３】模擬紙幣の模式図である。
【図４】模擬紙幣による搬送路チェック時のシーケンスをあらわすフローチャートである。
【符号の説明】
１０    ＡＴＭ
１１    制御部
１２    ＤＯＣ
１３    ＢＲＵ
１４    ＣＲＵ
１５    ＵＯＰ
１６    ＭＯＰ
１７    電源部
２０    センタコントロール
３０    遠隔監視装置
１１１    ハードディスク
１１２    ハードディスクドライバ
１１３    フロッピィディスクドライバ
１３１，１３２    スタッカ
１３３，１３４    スタッカプール部
１３５，１３６    金庫
１３７，１３８    補充リジェクト部
１３９    運用リジェクト部
１５１    カラーディスプレイ
１５２    タッチキーボード
１５３    音声ガイダンス
１５４    顧客センサ
１６１    ＩＤカードシステム
１６２    液晶ディスプレイ
１６３    操作用のキーボード
２０１，２０２    搬送路
１１３１    フロッピィディスク
１３１０    取忘れ部
１３１１    バッファプール部
１３１２    鑑別部
１３１３    入出金部
１３１４    模擬券スタッカ
１３１２１    磁気記録部
【図１】
0003561402.tif 000002
【図２】
0003561402.tif 000003
【図３】
0003561402.tif 000004
【図４】
0003561402.tif 000005